(57)【要約】【課題】部品点数を減らすことができ、製造コストを低減できる農作業機を提供する。【解決手段】農作業機１は、圃場を移動しながら農作業をする作業機本体２を備える。この作業機本体２の左右両側には、マーカ装置用ホルダを兼ねたスタンド装置用ホルダ３を設ける。マーカ装置５およびスタンド装置６は、いずれも抜差ピン７の抜差によってスタンド装置用ホルダ３に対して脱着することができる。【選択図】　　　　図１
2004065007.tif 000002
【特許請求の範囲】
【請求項１】
圃場を移動しながら農作業をする作業機本体と、
この作業機本体に設けられ、マーカ装置用ホルダを兼ねたスタンド装置用ホルダと
を備えることを特徴とする農作業機。
【請求項２】
マーカ装置およびスタンド装置は、いずれも抜差ピンの抜差によってスタンド装置用ホルダに対して脱着可能となっている
ことを特徴とする請求項１記載の農作業機。
【発明の詳細な説明】
【０００１】
【発明の属する技術分野】
本発明は、部品点数を減らすことができ、製造コストを低減できる農作業機に関する。
【０００２】
【従来の技術】
従来の農作業機は、例えばトラクタの走行により圃場を移動しながら農作業をする作業機本体を備え、この作業機本体には、互いに別体のマーカー装置用ホルダおよびスタンド装置用ホルダがそれぞれ設けられている。
【０００３】
【発明が解決しようとする課題】
しかしながら、上記従来の農作業機では、マーカー装置用ホルダとスタンド装置用ホルダとが互いに別体であるため、部品点数が多く、製造コストが高くなりがちであるという問題がある。
【０００４】
本発明は、このような点に鑑みなされたもので、部品点数を減らすことができ、製造コストを低減できる農作業機を提供することを目的とする。
【０００５】
【課題を解決するための手段】
請求項１記載の農作業機は、圃場を移動しながら農作業をする作業機本体と、この作業機本体に設けられ、マーカ装置用ホルダを兼ねたスタンド装置用ホルダとを備えるものである。
【０００６】
そして、マーカ装置用ホルダを兼ねたスタンド装置用ホルダを作業機本体に設けたため、部品点数が減り、製造コストが低減する。
【０００７】
請求項２記載の農作業機は、請求項１記載の農作業機において、マーカ装置およびスタンド装置は、いずれも抜差ピンの抜差によってスタンド装置用ホルダに対して脱着可能となっているものである。
【０００８】
そして、マーカ装置の脱着およびスタンド装置の脱着を抜差ピンの抜差によって簡単に行うことが可能となる。
【０００９】
【発明の実施の形態】
以下、本発明の農作業機の一実施の形態の構成を図面を参照して説明する。
【００１０】
図１ないし図３において、１は例えば牽引式の農作業機で、この農作業機１は、走行車であるトラクタ（図示せず）に３点リンク機構等の作業機昇降用支持装置を介して連結されこのトラクタの走行により圃場Ａを前方（進行方向）に移動しながら、農作業、例えば代掻作業および播種作業をする作業機本体２を備えている。
【００１１】
また、この作業機本体２の左右両端部には、マーカ装置用ホルダを兼ねたスタンド装置用ホルダ３，３がそれぞれ固定的に設けられている。
【００１２】
そして、作業時に圃場Ａに直進走行用の目印（図示せず）を付けるためのマーカ装置５と、非作業時に農作業機１を運搬格納するためのスタンド装置６とが、いずれも共通の抜差ピン７の抜差によってスタンド装置用ホルダ３に対して脱着可能となっている。
【００１３】
ここで、作業機本体２は、図１ないし図３に示すように、例えば前側の代掻作業部１１と後側の播種作業部１２とにて構成されている。
【００１４】
この代掻作業部１１は、左右方向に細長状の前側機枠１５を有し、この前側機枠１５の左右両側板部（例えばチェーンケースおよびブラケット）１６の下端側には、圃場Ａを耕耘するロータリ等の耕耘手段１７が回転可能に設けられている。また、この前側機枠１５の上板部の後端側には、圃場Ａを整地する均平板およびレーキ等からなる整地手段１８が上下方向に回動可能に設けられている。
【００１５】
なお、前側機枠１５には、３点連結機構等のトラクタ連結手段１９が設けられているとともに、トラクタからの動力を入力する前後方向の入力軸２０が回転可能に設けられている。このトラクタ連結手段１９は、例えばトップピン２１を有するトップマスト２２と、ロワピン２３を有する左右のロワアーム２４とにて構成されている。
【００１６】
播種作業部１２は、代掻作業部１１の前側機枠１５の後端側に連結された後側機枠２５を有している。この後側機枠２５の上側には、左右方向に並んだ複数（例えば６つ）の播種ホッパ２６が設けられている。また、この後側機枠２５の下側には、播種ホッパ２６から種子を一定量ずつ繰り出して圃場Ａに播種する播種手段２７が設けられている。
【００１７】
マーカ装置用ホルダを兼ねたスタンド装置用ホルダ３は、例えば上下方および外側方に向って開口した断面略コ字状で上下方向に長手状のホルダ本体３１を有している。
【００１８】
このホルダ本体３１は、作業機本体２の代掻作業部１１の前側機枠１５の側板部１６に重合して固着された略矩形状の取付板部３２を有し、この取付板部３２の前後縁部からは、それぞれ略矩形状の突出板部３３，３３が外側方に向って一体に突出している。これら前後に互いに離間対向した突出板部３３には、この突出板部３３の長手方向である上下方向に並んだ複数（例えば４つ）のピン挿通孔３４が間隔をおいて形成されている。
【００１９】
一方、農作業機１に脱着可能なスタンド装置６は、図１に示すように、例えばキャスタ付スタンド本体部４１を有し、このキャスタ付スタンド本体部４１の前側からは、左右２本の筒状の取付杆部４２が前斜め上方に向って突出している。なお、取付杆部４２には複数のピン挿通孔（図示せず）が形成されている。
【００２０】
そして、このスタンド装置６をスタンド装置用ホルダ３に取り付ける場合、スタンド装置６の取付杆部４２をホルダ本体３１の両突出板部３３間に挿入した後、抜差ピン（左右２本ずつ）７を、それぞれ一致した取付杆部４２のピン挿通孔と突出板部３３のピン挿通孔３４とに差し込む。
【００２１】
なお、差し込んだ抜差ピン７を取付杆部４２のピン挿通孔と突出板部３３のピン挿通孔３４とから引き抜くことで、スタンド装置６をスタンド装置用ホルダ３から容易に取り外すことができる。また、抜差ピン７を差し込むピン挿通孔３４を変えることで、スタンド装置６による農作業機１の支持高さを変更できる。
【００２２】
農作業機１に脱着可能なマーカ装置５は、図２ないし図４に示すように、例えば左右一対をなす左マーカ５１および右マーカ５２と、これら両マーカ５１，５２同士を連結する操作連結手段５３とにて構成されている。
【００２３】
左マーカ５１および右マーカ５２は、例えば角パイプにて形成された筒状の回動アーム５５を有し、この回動アーム５５の一端部には１つのピン挿通孔（図示せず）が形成されている。また、この回動アーム５５の一端部には、例えばゴム等の軟質部材にて形成されたブロック状の回動規制用のストッパ５６が固着されている。
【００２４】
さらに、この回動アーム５５の他端部には、チェーン５７の一端部である上端部が連結されている。なお、このチェーン５７の自由端側の他端部である下端部が圃場Ａ上を摺動することで圃場Ａに直進走行用の目印が付くようになっている。
【００２５】
また、操作連結手段５３は、例えば両端部が左右の回動アーム５５に連結された連動体であるワイヤ５８を有し、このワイヤ５８には、図示しないが、トラクタの運転席から操作可能な切換用操作レバーが取り付けられている。
【００２６】
そして、このマーカ装置５をスタンド装置用ホルダ３に取り付ける場合、例えばスタンド装置６を取り外してから、左マーカ５１および右マーカ５２の各回動アーム５５の一端部をホルダ本体３１の両突出板部３３間に挿入した後、抜差ピン（左右１本ずつ）７を、それぞれ一致した回動アーム５５のピン挿通孔と突出板部３３のピン挿通孔（突出板部の上端部に位置するピン挿通孔）３４とに差し込む。
【００２７】
この抜差ピン７の差し込みにより、各回動アーム５５は、基端側の前後方向の抜差ピン７を中心（支点）として上下方向に回動可能な状態となる。
【００２８】
そして、例えばトラクタの運転席に座った作業者が、操作連結手段５３の切換用操作レバーを左使用位置に切り換えた場合、図２および図３に示されるように、進行方向左側の左マーカ５１の回動アーム５５は、その自重でストッパ５６が取付板部３２に当接するまで下方回動し、作業機本体２から外側方に突出した突出状の水平姿勢に設定される。この状態で、作業機本体２がトラクタの走行により圃場Ａを前方に移動すると、突出状の水平姿勢に設定された左マーカ５１の回動アーム５５の先端側から垂れ下がったチェーン５７の下端部が圃場Ａ上を摺動して圃場Ａに溝が形成されて直進走行用の目印が付く。
【００２９】
また、左マーカ５１の回動アーム５５の回動時には、進行方向右側の右マーカ５２の回動アーム５５は、左マーカ５１の回動アーム５５にワイヤ５８を介して連動して所定位置まで上方回動し、作業機本体２から外側方に突出した待機傾斜姿勢に設定される。この待機傾斜姿勢に設定された右マーカ５２の回動アーム５５の先端側から垂れ下がったチェーン５７の下端部は、圃場Ａから離れた地上に位置し、このチェーン５７にて溝は形成されない。
【００３０】
一方、例えばトラクタの運転席に座った作業者が、切換用操作レバーを右使用位置に切り換えた場合、図示しないが、右マーカ５２の回動アーム５５は、その自重でストッパ５６が取付板部３２に当接するまで下方回動し、作業機本体２から外側方に突出した突出状の水平姿勢に設定される。この状態で、作業機本体２がトラクタの走行により圃場Ａを前方に移動すると、突出状の水平姿勢に設定された右マーカ５２の回動アーム５５の先端側から垂れ下がったチェーン５７の下端部が圃場Ａ上を摺動して圃場Ａに溝が形成されて直進走行用の目印が付く。また、右マーカ５２の回動アーム５５の回動時には、左マーカ５１の回動アーム５５は、右マーカ５２の回動アーム５５にワイヤ５８を介して連動して所定位置まで上方回動し、作業機本体２から外側方に突出した待機傾斜姿勢に設定される。この待機傾斜姿勢に設定された左マーカ５１の回動アーム５５の先端側から垂れ下がったチェーン５７の下端部は、圃場Ａから離れた地上に位置し、このチェーン５７にて溝は形成されない。
【００３１】
また、例えばトラクタの運転席に座った作業者が、切換用操作レバーを左右不使用位置（収納位置）に切り換えた場合、図４に示されるように、左マーカ５１および右マーカ５２の各回動アーム５５は、所定位置まで一斉に回動し、作業機本体２から外側方に突出しない内側方に折り畳まれた状態の収納姿勢に設定される。この収納姿勢に設定された左右の回動アーム５５，５５は、正面視で略はハ字状となり、作業機本体２から外側方に突出しないため、安全性が確保される。
【００３２】
なお、差し込んだ抜差ピン７を回動アーム５５のピン挿通孔と突出板部３３のピン挿通孔３４とから引き抜くことで、マーカ装置５をスタンド装置用ホルダ３から容易に取り外すことができる。また、抜差ピン７を差し込むピン挿通孔３４を変えることで、左マーカ５１および右マーカ５２の高さ位置を変更できる。
【００３３】
次に、上記一実施の形態の作用等を説明する。
【００３４】
例えば農作業機１およびマーカ装置５を用いて農作業をする場合、抜差ピン７の差し込みにより、マーカ装置５をスタンド装置用ホルダ３に取り付ける。この取り付けたマーカ装置５にて、圃場Ａに直進走行用の目印を付けることができ、直進走行を容易に維持でき、農作業を容易にできる。
【００３５】
農作業終了後、農作業機１を例えば倉庫まで運搬して倉庫に収納する場合、スタンド装置６をスタンド装置用ホルダ３に取り付ける。この場合、例えばマーカ装置５をスタンド装置用ホルダ３から取り外してから、このマーカ装置５の代わりに、スタンド装置６を抜差ピン７の差し込みにて取り付ける。この取り付けたスタンド装置６にて、農作業機１の運搬格納を容易にできる。
【００３６】
このようにして、上記一実施の形態によれば、マーカ装置用ホルダを兼ねたスタンド装置用ホルダ３を作業機本体２の左右両側に設けたため、部品点数を減らすことができ、製造コストを低減でき、軽量化も図ることができる。
【００３７】
また、マーカ装置５の脱着およびスタンド装置６の脱着を両方に共用可能な抜差ピン７の抜差のみによって簡単に行うことができ、脱着作業に手間取るようなことがない。
【００３８】
さらに、切換用操作レバーおよびワイヤ５８等にて構成された操作連結手段５３にて、左マーカ５１および右マーカ５２を正面視で略ハ字状をなす収納姿勢に簡単に切り換えることができ、安全性を容易に確保できる。
【００３９】
なお、作業機本体２は、トラクタの走行により圃場Ａを移動しながら代掻作業および播種作業をするものには限定されず、例えば自走により圃場Ａを移動しながら代掻作業や播種作業以外の他の作業を行うものでもよい。
【００４０】
また、例えばスタンド装置６をスタンド装置用ホルダ３に取り付ける場合に、マーカ装置５を取り外すことなく、残りのピン挿通孔３４を使用してもよい。すなわち、マーカ装置用ホルダを兼ねたスタンド装置用ホルダ３に、マーカ装置５およびスタンド装置６の両方を取り付けることもできる。
【００４１】
また、操作連結手段５３は、切換用操作レバーを有しないものでもよく、例えば、図示しないが、ワイヤ５８の中間部を作業機本体２に支持し、ワイヤ５８に設けた２つの把持部を把持してワイヤ５８を動かすことで、マーカ５１，５２を切り換えることができるようなものでもよい。
【００４２】
【発明の効果】
請求項１の発明によれば、マーカ装置用ホルダを兼ねたスタンド装置用ホルダを作業機本体に設けたため、部品点数を減らすことができ、製造コストを低減できる。
【００４３】
請求項２の発明によれば、マーカ装置の脱着およびスタンド装置の脱着を抜差ピンの抜差によって簡単に行うことができる。
【図面の簡単な説明】
【図１】本発明の農作業機の一実施の形態を示す側面図である。
【図２】同上農作業機にマーカー装置を取り付けた状態での側面図である。
【図３】同上農作業機にマーカー装置を取り付けた状態での正面図である。
【図４】同上マーカー装置の正面図である。
【符号の説明】
１　　農作業機
２　　作業機本体
３　　スタンド装置用ホルダ
５　　マーカ装置
６　　スタンド装置
７　　抜差ピン
Ａ　　圃場
【図１】
2004065007.tif 000003
【図２】
2004065007.tif 000004
【図３】
2004065007.tif 000005
【図４】
2004065007.tif 000006